(57)【要約】      （修正有）【課題】インプラント本体の埋入過程に於いて副鼻腔層の傷や貫通の有効的な予防が得られる副鼻腔専用のインプラント本体を提供する。【解決手段】インプラント本体の外周に設けられる複数の位置決め用ねじ山１１、及び内部に設けられる動作組立て孔を備える。インプラント本体は複数の位置決め用ねじ山に沿い交叉する１つ以上の間隔を空ける螺旋溝１４が設けられる。インプラント本体の前記複数の位置決め用ねじ山の端部には径を縮小させる押し部１５が設けられると共に平滑な押し端面１５１が形成され、前記押し端面から外部に開放するよう連通される凹み空間１５２が設けられ、凹み空間及び前記螺旋供給溝の近端は連通される。これにより、インプラント手術中に発生する副鼻腔層貫通を有効的に予防させるほか、更に骨粉或いは充填物の分量を選択可能にし詰め込みインプラント本体を定位させる。【選択図】図３
2015204888.tif 000002
【特許請求の範囲】
【請求項１】
インプラント本体の外周に設けられる複数の位置決め用ねじ山、及び内部に設けられる動作組立て孔を備え、前記インプラント本体には全ての前記複数の位置決め用ねじ山に沿い交叉し前記位置決め用ねじ山を貫通させる１つを含む１つ以上の間隔を空ける螺旋溝が設けられ、前記インプラント本体の前記複数の位置決め用ねじ山の端部には径を縮小させる押し部が設けられ、前記押し部は前記複数の位置決め用ねじ山のねじ山の末端に適合させて設置されると共に平滑な押し端面が形成され、前記押し端面から外部に開放するよう連通される凹み空間が設けられ、前記凹み空間及び前記螺旋供給溝の末端に連通されることを特徴とする副鼻腔専用のインプラント本体。
【請求項２】
前記押し端面には、円滑な端部が設けられ、前記押し端面の端部の外周辺に設置される円弧外部耳端案内を含み、且つ前記凹み空間に円弧内部耳端案内が設けられることを特徴とする、請求項１に記載の副鼻腔専用のインプラント本体。
【請求項３】
前記凹み空間はその開口部が外部に連通される半球状であることを特徴とする、請求項１に記載の副鼻腔専用のインプラント本体。
【請求項４】
前記位置決め用ねじ山及び前記螺旋溝は同方向に設置されることを特徴とする、請求項１に記載の副鼻腔専用のインプラント本体。
【請求項５】
前記位置決め用ねじ山及び前記螺旋溝は反対方向に設置されることを特徴とする、請求項１に記載の副鼻腔専用のインプラント本体。
【発明の詳細な説明】
【技術分野】
【０００１】
本発明は、副鼻腔専用のインプラント本体に関し、より詳しくは、上部歯肉の副鼻腔専用のインプラント本体に用いられ、副鼻腔層の貫通を有効的に予防し、異なる分量の骨粉或いは充填物を副鼻腔層及び上部歯肉の押し開けられた隙間に詰め込む副鼻腔専用のインプラント本体に関する。
【背景技術】
【０００２】
一般的なインプラント過程では、歯科医は通常インプラント本体を埋入する前に歯肉の状態を検査する。皮質骨の厚さが不足している場合、先に骨粉或いは充填物を補充して皮質骨の厚さを増やし、同時にインプラントの患者のセメント質領域の状態に合わせ異なる分量の骨粉或いは充填物を選択して注入させ、インプラント本体の骨粉層の厚さを形成させる。
【先行技術文献】
【特許文献】
【０００３】
【特許文献１】台湾特実用新案出願公開第Ｍ４４０７６３号明細書
【発明の概要】
【発明が解決しようとする課題】
【０００４】
しかしながら、前述した従来の技術では、すなわち、図１に示す副鼻腔層（sinus floor）１００のインプラント領域の皮質骨（例えば、上部歯肉）１０１の厚さが不足している場合、厚さを増やさねばならず、従来の方式では主に皮質骨１０１を穿孔し大小の開孔部１０２を穿設する骨切り手術（osteotomy）を施す。また、図２に示すように、先ず副鼻腔層１００を分離後、前記副鼻腔層１００と皮質骨１０１との間に骨粉（bone growth powder）１０３或いは充填物を充填させ、皮質骨１０１の厚さを増加させた後インプラントを行う。骨粉或いは充填物の注入過程では、患者のインプラント部分の状況に基き異なる分量の骨粉或いは充填物を充填させて必要な骨粉層の厚さを形成させる。また、上述の副鼻腔層１００の分離により骨粉或いは充填物を充填させる空間を形成させる工程では、歯科医は細心の注意を払い副鼻腔層１００の分離を行い、副鼻腔層１００を貫通させないようにし、後遺症が残らないようにする。
【０００５】
初期のインプラントの骨粉工具は主にグリップの端部にプッシュピン１０４が設けられ、骨粉１０３を分離された副鼻腔層の下方の空間に充填させる。こういった従来の手工具による骨粉充填の動作は困難であり、時間もかかるため患者が不快感を感じるほか、歯科医にとっても時間的また体力的な負担が大きい。
【０００６】
特許文献１に示すように、出願者が掲示された「インプラント骨粉充填器」はインプラント骨粉充填道具である。所定の供給溝及び複数のねじ山により、骨粉或いは充填物を更に均等にすばやく分離された副鼻腔層の下方の空間に充填させ、作業の高速化を図り、有効的に歯科医の疲労を減らすと共に患者の不快感を感じる期間を短縮させる。但し前述の充填器は単一の工具であり、前記骨粉の充填後にインプラント本体を埋入させる工程を進める。
【０００７】
そこで、本発明者は上記の欠点が改善可能と考え、鋭意検討を重ねた結果、合理的設計で上記の課題を効果的に改善する本発明の提案に到った。
【０００８】
本発明は、このような従来の問題に鑑みてなされたものである。上記課題解決のため、本発明は、副鼻腔専用のインプラント本体を提供することを主目的とする。
【０００９】
なお、本発明は、インプラント本体の埋入過程で必要な骨粉或いは充填物の充填量を選択可能な副鼻腔専用のインプラント本体を提供することをもう一つの目的とする。
【課題を解決するための手段】
【００１０】
上述した課題を解決し、目的を達成するために、本発明に係る副鼻腔専用のインプラント本体は、インプラント本体の外周に設けられる複数の位置決め用ねじ山、及び内部に設けられる動作組立て孔を備え、前記インプラント本体には全ての前記複数の位置決め用ねじ山に沿い交叉し前記位置決め用ねじ山を貫通させる１つ（含む）以上の間隔を空ける螺旋溝が設けられ、前記インプラント本体の前記複数の位置決め用ねじ山の端部には径を縮小させる押し部が設けられ、前記押し部は前記複数の位置決め用ねじ山のねじ山の末端に適合させて設置されると共に平滑な押し端面が形成され、前記押し端面から外部に開放するよう連通される凹み空間が設けられ、前記凹み空間及び前記螺旋供給溝の末端に連通されることを特徴とする。
【００１１】
なお、前記インプラント本体は、螺旋供給溝及び押し部が前記凹み空間に適合され骨粉或いは充填物を骨切り手術による開孔部から注入させ、同時に押し開けられた副鼻腔層が受力し骨粉或いは充填物を押し開けられた副鼻腔層及び上部歯肉の間の隙間に進入させ、骨粉或いは充填物注入作業を完成させてインプラント本体を定位させる。
【００１２】
この好ましい実施形態では、前記押し端面には、円滑な端部が設けられ、前記押し端面の端部の外周辺に設置される円弧外部耳端案内を含み、且つ前記凹み空間に円弧内部耳端案内が設けられることを特徴とする。
【００１３】
この好ましい実施形態では、前記凹み空間その開口部が外部に連通される半球状或いは他の幾何形状であることを特徴とする。
【００１４】
この好ましい実施形態では、前記位置決め用ねじ山のねじ山の螺旋方向は前記の各螺旋溝と同方向か反対方向か選択して設置させ、異なる分量の骨粉或いは充填物を詰め込める構造を形成させることを特徴とする。
【発明の効果】
【００１５】
本発明によれば、インプラント本体の埋入過程に於いて同時に骨粉或いは充填物を注入させ、副鼻腔層の傷や貫通の有効的な予防が得られる。
【図面の簡単な説明】
【００１６】
【図１】従来の副鼻腔層が骨切除術をする際、皮質骨で開孔部を形成する断面図である。
【図２】図１に示す副鼻腔層の下端に骨粉を充填する概略図である。
【図３】本発明の一実施形態に係る副鼻腔専用のインプラント本体を示す傾斜図である。
【図４】同上、図３を示す正面図である。
【図５】同上、図３を示す断面図である。
【図６】同上、図３を示す上面図である。
【図７】上部歯肉及び副鼻腔層の関連位置を示す概略図である。
【図８】同上、図７のＡを示す拡大図である。
【図９】本発明に係るインプラントの作動を示す状態の概略図である。
【図１０】本発明の他の実施形態に係る副鼻腔専用のインプラント本体を示す傾図である。
【図１１】同上、図１０のインプラントの作動を示す状態の概略図である。
【発明を実施するための形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１８】
（第１実施形態）
以下、第１実施形態を図３〜６に基づいて説明する。この好ましい実施形態では、図３ないし図６に示すように、本発明によるインプラント本体１０の材料は二酸化ジルコニウムからなり、その外周には複数の位置決め用ねじ山１１が設けられ、内部には動作組立て孔１２（図５参照）が設けられ、前記インプラント本体１０には台座部１３が予め設置され、前記台座部１３には下から上にかけ複数の位置決め用ねじ山１１が設けられ、前記複数の位置決め用ねじ山１１は図式の底端から上端にかけ徐々に幅を縮小させてゆき、歯肉を穿孔させる構造を形成させる。前述の実施形態によると、前記位置決め用ねじ山１１は図式では節の間隔を固定させることで上から下に螺旋する時計回りの方向（正方向）のねじ山として設定される。但しこれは例を示し説明するためのものであり、前記位置決め用ねじ山１１の方向は他の方向でもよく、反時計回りの方向（反対方向）のねじ山でもよい。
【００１９】
前記インプラント本体１０は全ての前記複数の位置決め用ねじ山１１に沿い交叉し前記位置決め用ねじ山１１を貫通させる１つ（含む）以上の間隔を空ける螺旋溝１４が設けられる。本実施形態では、３つの間隔を空ける螺旋溝１４を備え、また、この好ましい実施形態では、各前記螺旋溝１４は前記位置決め用ねじ山１１と同方向になる方式により上から下へと延伸される。前記インプラント本体１０の前記複数の位置決め用ねじ山１１の端部（実施形態の上端に図示）には径を縮小する押し部１５が設けられ、前記押し部１５は前記複数の位置決め用ねじ山１１のねじ山末端に適合させて設置され、好ましくは平滑な押し端面１５１が形成され、前記押し端面１５１には外部に開放されて連通される凹み空間１５２が設けられ、前記凹み空間１５２と前記的螺旋溝１４の末端とは連通される。
【００２０】
押し作業及び骨粉或いは充填物の注入作業の安全を確保するため、前記押し端面１５１は好ましくは円滑な端部として設けられ、本実施形態では、前記押し端面１５１の端部の外周辺に設けられる円弧外部耳端案内１５３を備え、前記凹み空間１５２には円弧内部耳端案内１５４が設置される。
【００２１】
図１に示す好ましい実施形態では、前記凹み空間１５２は半球状であるが、但しこれは例を挙げ説明するためであり、これに制限されることなく、他にも骨粉或いは充填物を埋入するのに適した幾何形状であればよい。
【００２２】
図７に示すように、上部歯肉２０のインプラント本体（図７に示すインプラント本体１０）の手術では、インプラント本体１０を上部歯肉２０に穿設させ、インプラント本体１０の端部は副鼻腔２１の部位まで到達し、副鼻腔層（粘膜層）２２を押して骨粉を充填させる。本発明によれば、歯科医は先ず骨切り手術により穿設された開孔部に骨粉３０を注入した後、本発明に係る全てのインプラント本体１０の埋入過程では、所定の螺旋溝１４及び押し部１５の押し端面１５１は前記凹み空間１５２に適合させて骨粉３０を詰め、同時に押し部１５は副鼻腔層２２を徐々に押し開け、骨粉３０は受力して押し開けられた副鼻腔層２２及び上部歯肉２０の間の隙間に進入し、骨粉３０の注入作業を完成させてインプラント本体１０を定位させる（図８参照）。
【００２３】
図９に示すように、本発明は上述の埋入過程に於いて、各前記螺旋溝１４は前記位置決め用ねじ山１１と同方向に設置され、これにより全てのインプラント本体１０を矢印の方向に回転させて切削し埋入する過程では、前記螺旋溝１４は上部歯肉２０の骨の切削或いは骨粉の一部を排出させる溝となる。インプラントの患者の副鼻腔層２２に多めの厚い骨粉或いは充填物層を充填させる必要がない場合、本実施形態を適用出来る。
【００２４】
（第２実施形態）
この好ましい実施形態の主な差異は、前記螺旋溝１４０は前記位置決め用ねじ山１１０とは反対方向に設置され、前記位置決め用ねじ山１１０は同様に上から下へ時計回りの方向（正方向）になるねじ山であり、前記螺旋溝１４０は上から下へ反時計回りの方向（反対方向）に螺旋する点である。図１１に示すように、本実施形態の運用では、全てのインプラント本体１０aも同じ方向に回転し切削して埋入すると、全ての骨粉及び切削された骨屑は前記位置決め用ねじ山１１０の反対方向から進入し、全量が詰め込まれて大量の厚めのインプラント骨粉層を形成させ、厚めの骨粉層を充填させるインプラントの患者に適用される（図１０参照）。
【００２５】
本発明では革新的な副鼻腔専用のインプラント本体を形成することで、一方ではインプラント手術過程で副鼻腔層の貫通を有効的に予防させるほか、更に骨粉或いは充填物を注入する分量を選択しインプラント本体を定位させる。空間全体の形態は革新的で高い産業的利用価値を有する発明の特許申請を行う。
【００２６】
以上、本発明はこのような実施形態に限定されるものではなく、発明の趣旨を逸脱しない範囲において、種々の形態で実施することができる。
【符号の説明】
【００２７】
１０      インプラント本体        
１０a      インプラント本体        
１１      位置決め用ねじ山        
１１０      位置決め用ねじ山        
１２      動作組立て孔        
１３      台座部        
１４      螺旋溝        
１４０      螺旋溝        
１５      押し部        
１５１      押し端面        
１５２      凹み空間        
１５３      円弧外部耳端案内        
１５４      円弧内部耳端案内        
２０      上部歯肉        
２１      副鼻腔        
２２      副鼻腔層        
３０      骨粉        
１００      副鼻腔層        
１０１      皮質骨        
１０２      開孔部        
１０３      骨粉        
１０４      プッシュピン   
【図１】
2015204888.tif 000003
【図２】
2015204888.tif 000004
【図３】
2015204888.tif 000005
【図４】
2015204888.tif 000006
【図５】
2015204888.tif 000007
【図６】
2015204888.tif 000008
【図７】
2015204888.tif 000009
【図８】
2015204888.tif 000010
【図９】
2015204888.tif 000011
【図１０】
2015204888.tif 000012
【図１１】
2015204888.tif 000013